(57)【要約】【課題】点光源から導光板に光を直接入射させる場合にも、表示品位が低下するのを抑制することが可能な液晶表示装置を提供する。【解決手段】この液晶テレビジョン装置（液晶表示装置）３００は、ＬＥＤ５０と、ＬＥＤ５０から出射された光が直接入射するとともに、ＬＥＤ５０に対向する光入射面７１を含む導光板７０と、導光板７０の表面上に設けられた液晶セル９０とを備え、導光板７０の光入射面７１のＬＥＤ５０と対向する領域には、光入射面７１の延びる方向におけるＬＥＤ５０の幅よりも小さい幅を有する複数の凸部７５が設けられており、導光板７０の複数の凸部７５は、不規則的に異なる形状を有するように形成されている。【選択図】図３
2012237791.tif 000002
【特許請求の範囲】
【請求項１】
点光源と、
前記点光源から出射された光が直接入射するとともに、前記点光源に対向する光入射面を含む導光板と、
前記導光板の表面上に設けられた液晶セルとを備え、
前記導光板の前記光入射面の前記点光源と対向する領域には、前記光入射面の延びる方向における前記点光源の幅よりも小さい幅を有する複数の凸部が設けられており、
前記導光板の前記複数の凸部は、不規則的に異なる形状を有するように形成されている、液晶表示装置。
【請求項２】
前記不規則的に異なる形状を有する前記複数の凸部が設けられた前記光入射面は、前記光入射面に入射した光を前記光入射面の光入射位置によって異なる角度で屈折させるように形成されている、請求項１に記載の液晶表示装置。
【請求項３】
前記複数の凸部は、不規則的に異なる突出高さまたは異なる幅の少なくとも一方を有するように形成されている、請求項２に記載の液晶表示装置。
【請求項４】
前記複数の凸部は、それぞれ、頂部の角度を不規則的に異ならせた先細り形状に形成されている、請求項２または３に記載の液晶表示装置。
【請求項５】
前記複数の凸部は、それぞれ、頂部の突出高さを不規則的に異ならせた円弧形状に形成されている、請求項２または３に記載の液晶表示装置。
【請求項６】
前記複数の凸部は、それぞれ、不規則的に変化する曲線状の表面形状を有するように形成されている、請求項２または３に記載の液晶表示装置。
【請求項７】
前記導光板の前記光入射面は、前記複数の凸部間に設けられ、光入射面に沿った方向の長さが異なる複数の平坦部を含む、請求項１〜６のいずれか１項に記載の液晶表示装置。
【請求項８】
前記複数の凸部は、それぞれ、前記光入射面の延びる方向における前記点光源の幅の１／５以下の幅を有する、請求項１〜７のいずれか１項に記載の液晶表示装置。
【請求項９】
点光源と、
前記点光源から出射された光が直接入射するとともに、前記点光源に対向する光入射面を含む導光板と、
前記導光板の表面上に設けられた液晶セルと、
テレビジョン放送を受信する受信部とを備え、
前記導光板の前記光入射面の前記点光源と対向する領域には、前記光入射面の延びる方向における前記点光源の幅よりも小さい幅を有する複数の凸部が設けられており、
前記導光板の前記複数の凸部は、不規則的に異なる形状を有するように形成されている、液晶テレビジョン装置。
【発明の詳細な説明】
【技術分野】
【０００１】
この発明は、液晶表示装置および液晶テレビジョン装置に関し、特に光源と導光板とを備えた液晶表示装置および液晶テレビジョン装置に関する。
【背景技術】
【０００２】
従来、光源と導光板とを備えた液晶表示装置が知られている（たとえば、特許文献１参照）。
【０００３】
上記特許文献１には、点光源を含む棒状部材と、棒状部材に対向するように光入射面が設けられた導光板と、液晶表示パネルとを備えた液晶表示装置が開示されている。この液晶表示装置では、同一の形状および同一の角度を有する複数の三角形状の凸部が、導光板の光入射面に沿って形成されている。点光源から出射された光は、棒状部材によって光入射面に対して傾いて入射し、光出射面の三角形状の凸部によって所定角度だけ曲げられて、光入射面と反対側の面に向かって導光板内を進むように構成されている。
【０００４】
また、従来では、棒状部材などを介さずに光源（複数の点光源）から直接導光板の光入射面に光を入射させる構造も知られている。この場合、複数の点光源が導光板の光入射面に対向するように配置される。このような従来の構造を上記特許文献１の構造に適用すると、導光板の光入射面に対向するように複数の点光源を設け、点光源から光入射面の同一形状および同一角度を有する凸部に光を直接入射させる構成になる。
【先行技術文献】
【特許文献】
【０００５】
【特許文献１】特開平１１−２３１３２０号公報
【発明の概要】
【発明が解決しようとする課題】
【０００６】
しかしながら、上記した従来の構成のように、導光板の光入射面に対向するように複数の点光源を設け、点光源から光入射面の同一形状および同一角度を有する凸部に光を直接入射させると、同一形状の凸部によって光が規則的な一定方向に屈折されて導光板内に拡がる。この場合、点光源から光入射面（凸部）への入射光量は、点光源と対向する位置では多く、隣接する点光源間の位置では少なくなるので、導光板の光入射面近傍に光が多く到達する明るい領域と、光があまり到達しない暗い領域とが形成されることになる。この結果、導光板に明暗の領域が生じて出射光量の輝度が不均一になるので、液晶表示装置の表示品位が低下するという問題点があった。
【０００７】
この発明は、上記のような課題を解決するためになされたものであり、この発明の１つの目的は、点光源から導光板に直接光を入射させる場合にも、表示品位が低下するのを抑制することが可能な液晶表示装置および液晶テレビジョン装置を提供することである。
【課題を解決するための手段および発明の効果】
【０００８】
この発明の第１の局面による液晶表示装置は、点光源と、点光源から出射された光が直接入射するとともに、点光源に対向する光入射面を含む導光板と、導光板の表面上に設けられた液晶セルとを備え、導光板の光入射面の点光源と対向する領域には、光入射面の延びる方向における点光源の幅よりも小さい幅を有する複数の凸部が設けられており、導光板の複数の凸部は、不規則的に異なる形状を有するように形成されている。
【０００９】
この発明の第１の局面による液晶表示装置では、上記のように、導光板の光入射面の点光源と対向する領域に、光入射面の延びる方向における点光源の幅よりも小さい幅を有する複数の凸部を設けるとともに、導光板の複数の凸部を不規則的に異なる形状を有するように形成することによって、点光源の幅よりも小さい幅を有し、不規則的に異なる形状を有する複数の凸部に点光源から出射された光が直接入射される。これにより、不規則的に異なる形状を有する複数の凸部の各々によって、光を不規則的に屈折させて導光板内に拡げることができるので、導光板内に明暗の領域が生じるのを抑制することができる。この結果、導光板の出射光量が不均一になるのを抑制することができるので、点光源から導光板に直接光を入射させる場合にも、表示品位が低下するのを抑制することができる。
【００１０】
上記第１の局面による液晶表示装置において、好ましくは、不規則的に異なる形状を有する複数の凸部が設けられた光入射面は、光入射面に入射した光を光入射面の光入射位置によって異なる角度で屈折させるように形成されている。このように構成すれば、光が入射した光入射面の位置によって、光を異なる角度で屈折させることができるので、導光板内に光を不規則的に拡げることができる。これにより、導光板内に明暗の領域が生じるのを効果的に抑制して、表示品位が低下するのを抑制することができる。
【００１１】
この場合、好ましくは、複数の凸部が、不規則的に異なる突出高さまたは異なる幅の少なくとも一方を有するように形成されている。このように構成すれば、凸部の大きさが不規則になるので、点光源から光入射面に向けて出射された光を導光板の不規則な大きさの凸部の表面から入射させることができる。これにより、隣接する点光源間の位置に対向する導光板内の光が届きにくい領域にも、光が届きやすくなる。この結果、導光板内に明暗の領域が生じるのを効果的に抑制することができるので、液晶表示装置の表示品位が低下するのを抑制することができる。
【００１２】
上記複数の凸部が、光入射面に入射した光を光入射面の光入射位置によって異なる角度で屈折させるように形成される構成において、好ましくは、複数の凸部は、それぞれ、頂部の角度を不規則的に異ならせた先細り形状に形成されている。このように構成すれば、光が入射するそれぞれの凸部において、光を異なる角度で屈折させることができるので、容易に、入射光を入射位置によって異なる角度で屈折させる構成を得ることができる。
【００１３】
上記複数の凸部が、光入射面に入射した光を光入射面の光入射位置によって異なる角度で屈折させるように形成される構成において、好ましくは、複数の凸部は、それぞれ、頂部の突出高さを不規則的に異ならせた円弧形状に形成されている。このように構成すれば、頂部の突出高さが不規則的に異なる円弧形状を有する凸部のすべての領域において、光を異なる角度で不規則に屈折させることができる。これにより、容易に、入射光を入射位置によって異なる角度で屈折させる構成を得ることができるとともに、効果的に光を導光板内に不規則的に拡げることができる。
【００１４】
上記複数の凸部が、光入射面に入射した光を光入射面の光入射位置によって異なる角度で屈折させるように形成される構成において、好ましくは、複数の凸部は、それぞれ、不規則的に変化する曲線状の表面形状を有するように形成されている。このように構成すれば、導光板の光入射面の表面形状を不規則な曲線状に形成するだけで、容易に、入射光を入射位置によって異なる角度で屈折させる構成を得ることができる。
【００１５】
上記第１の局面による液晶表示装置において、好ましくは、導光板の光入射面は、複数の凸部間に設けられ、光入射面に沿った方向の長さが異なる複数の平坦部を含む。このように構成すれば、平坦部に入射した光のうちの一部を、光入射面の反対側の面に向けて導光板内を直進させる際に光入射面に沿った方向の長さが異なる複数の平坦部により各々の平坦部から導光板内を直進する光の量を不規則化することができる。これにより、光入射面に沿った方向の長さが異なる複数の平坦部と、不規則な形状の複数の凸部とによって、より効果的に、光を導光板内で不規則的に拡げることができる。この結果、導光板の出射光量が不均一になるのをさらに抑制することができる。
【００１６】
上記第１の局面による液晶表示装置において、好ましくは、複数の凸部は、それぞれ、光入射面の延びる方向における点光源の幅の１／５以下の幅を有する。このように構成すれば、より多くの不規則な形状の凸部を点光源に対向させて配置することができるので、容易に入射光を導光板内に不規則的に拡げることができる。これにより、導光板内に明暗の領域が生じるのを効果的に抑制することができるので、液晶表示装置の表示品位が低下するのを抑制することができる。
【００１７】
この発明の第２の局面による液晶テレビジョン装置は、点光源と、点光源から出射された光が直接入射するとともに、点光源に対向する光入射面を含む導光板と、導光板の表面上に設けられた液晶セルと、テレビジョン放送を受信する受信部とを備え、導光板の光入射面の点光源と対向する領域には、光入射面の延びる方向における点光源の幅よりも小さい幅を有する複数の凸部が設けられており、導光板の複数の凸部は、不規則的に異なる形状を有するように形成されている。
【００１８】
この発明の第２の局面による液晶テレビジョン装置では、上記のように、導光板の光入射面の点光源と対向する領域に、光入射面の延びる方向における点光源の幅よりも小さい幅を有する複数の凸部を設けるとともに、導光板の複数の凸部を不規則的に異なる形状を有するように形成することによって、点光源の幅よりも小さい幅を有し、不規則的に異なる形状を有する複数の凸部に点光源から出射された光が直接入射される。これにより、不規則的に異なる形状を有する複数の凸部の各々によって、光を不規則的に屈折させて導光板内に拡げることができるので、導光板内に明暗の領域が生じるのを抑制することができる。この結果、導光板の出射光量が不均一になるのを抑制することができるので、点光源から導光板に光を直接入射させる場合にも、液晶テレビジョン装置において、表示品位が低下するのを抑制することができる。
【図面の簡単な説明】
【００１９】
【図１】本発明の第１実施形態による液晶テレビジョン装置の全体構成を示した斜視図である。
【図２】図１に示した液晶テレビジョン装置の５００−５００線に沿った断面図である。
【図３】図１に示した液晶テレビジョン装置におけるＬＥＤと導光板との構成を示した正面図である。
【図４】図２に示したＬＥＤと導光板との拡大正面図である。
【図５】図２に示した導光板の光入射面近傍の領域において屈折された光の経路を示した正面図である。
【図６】本発明の第２実施形態による液晶テレビジョン装置の導光板の光入射面近傍の領域において屈折された光の経路を示した正面図である。
【図７】本発明の第３実施形態による液晶テレビジョン装置の導光板の光入射面近傍の領域において屈折された光の経路を示した正面図である。
【図８】本発明の第４実施形態による液晶テレビジョン装置の導光板の光入射面近傍の領域において屈折された光の経路を示した正面図である。
【発明を実施するための形態】
【００２０】
（第１実施形態）
以下、図１〜図５を参照して、本発明の第１実施形態による液晶テレビジョン装置３００の構成について説明する。なお、液晶テレビジョン装置３００は、本発明の「液晶表示装置」および「液晶テレビジョン装置」の一例である。
【００２１】
第１実施形態による液晶テレビジョン装置３００は、図１および図２に示すように、フロントキャビネット１０と、リアキャビネット２０と、液晶モジュール３０と、チューナ４０とを備えている。液晶モジュール３０は、ＬＥＤ５０と、ＬＥＤ基板６０と、導光板７０と、モールドフレーム８０と、液晶セル９０とを含んでいる。なお、ＬＥＤ５０は、本発明の「点光源」の一例であり、チューナ４０は、本発明の「受信部」の一例である。
【００２２】
フロントキャビネット１０は、液晶テレビジョン装置３００の前側（Ｙ２方向側）に配置されている。フロントキャビネット１０は、液晶テレビジョン装置３００の前側から液晶モジュール３０のモールドフレーム８０に係合している。
【００２３】
リアキャビネット２０は、液晶テレビジョン装置３００の後側（Ｙ１方向側）に配置されている。リアキャビネット２０は、液晶テレビジョン装置３００の後側から液晶モジュール３０のモールドフレーム８０に係合している。
【００２４】
また、チューナ４０は、フロントキャビネット１０とリアキャビネット２０とに囲まれた空間に収容されている。
【００２５】
液晶モジュール３０は、モールドフレーム８０の後側（Ｙ１方向側）にＬＥＤ５０と、ＬＥＤ基板６０と、導光板７０とを含み、モールドフレーム８０の前側（Ｙ２方向側）に液晶セル９０を含む。液晶モジュール３０は、モールドフレーム８０によってリアフレーム１００に固定されている。リアフレーム１００に固定された液晶モジュール３０は、フロントキャビネット１０とリアキャビネット２０とに囲まれた空間内に収容されている。
【００２６】
複数のＬＥＤ５０は、図３に示すように、Ｘ方向に沿ってＬＥＤ基板６０に配置されている。これらのＬＥＤ５０およびＬＥＤ基板６０は、導光板７０の下部（Ｚ２方向）近傍に導光板７０の光入射面７１に対して略平行で、光入射面７１から僅かな間隔を隔てて対向するように配置されている。複数のＬＥＤ５０は、それぞれ、長手方向（Ｘ方向）における幅Ｗを有している。ＬＥＤ５０は、導光板７０の光入射面７１に向けて光を出射する。
【００２７】
ここで、第１実施形態では、導光板７０は、図２および図３に示すように、概略的には略矩形の平板形状を有する。導光板７０は、ＬＥＤ５０から出射された光が入射する光入射面７１と、底面７２と、光出射面を構成する表面７３とを含む。光入射面７１には、複数の凸部７５がＸ方向に沿って形成されている。これらの複数の凸部７５は、図４に示すように、光入射面７１からＬＥＤ５０に向かう方向（Ｚ２方向）に突出するように形成されている。光入射面７１から導光板７０内に入射した光は、導光板７０の内部で全反射を繰り返しながら、導光板７０の内部をＺ２方向からＺ１方向に向けて進む。導光板７０の内部を進む光は、導光板７０の底面７２に配置された反射部（図示せず）によって反射され、表面７３に対する入射角を変えることによって、導光板７０の表面７３から出射される。
【００２８】
図５に示すように、複数の凸部７５は、それぞれ、略三角形状を有するように導光板７０に一体的に形成されている。各々の凸部７５は、第１面１７５と第２面２７５とを有する。第１面１７５と第２面２７５とは、Ｙ２方向からＹ１方向に向けて見た場合に、略同じ長さを有している。複数の凸部７５は、それぞれ、不規則的に異なる突出高さを有する。また、複数の凸部７５は、それぞれ、Ｘ方向に不規則的に異なるとともに、ＬＥＤ５０の幅Ｗの１／５よりも小さい幅を有する。また、複数の凸部７５の頂部７６は、それぞれ、同じ角度θを有する。つまり、複数の凸部７５は、Ｙ２方向からＹ１方向に向けて見た場合に、それぞれ、頂部７６の角度θだけが共通で大きさ（突出高さおよび幅）が不規則的に異なる二等辺三角形形状を有している。また、隣り合う凸部７５の間には、導光板７０に対向して配置されたＬＥＤ５０に対して略平行になるように平坦部７７が形成されている。各々の平坦部７７は、不規則的に異なるとともに、凸部７５の幅よりも小さい幅を有する。
【００２９】
ＬＥＤ５０から光入射面７１に向けて出射された光は、光入射面７１に直進して、凸部７５と平坦部７７とからそれぞれ導光板７０の内部に入射する。凸部７５の第１面１７５と第２面２７５とは、それぞれ、Ｚ方向に対して角度略θ／２だけ傾斜する。その結果、ＬＥＤ５０から出射されて凸部７５に入射した光は、凸部７５によって屈折され、Ｚ１方向（ＬＥＤ５０から光入射面７１に向けて光の進行する方向）に対して傾いた方向に導光板７０の内部を進んで行く。一方、平坦部７７においては、ＬＥＤ５０から出射された光は、導光板７０の平坦部７７によってほとんど屈折されないので、平坦部７７に対して略直角な角度で導光板７０の内部に入射する。つまり、光入射面７１に入射した光は、光入射面７１に設けた凸部７５と平坦部７７とによって、異なる角度に屈折される。
【００３０】
また、液晶モジュール３０には、図２に示すように、導光板７０の底面７２と、ＬＥＤ５０と、ＬＥＤ基板６０とを覆うようにして、反射シート１１０が設けられている。ＬＥＤ５０から導光板７０に出射された光および導光板７０の底面７２から裏面側（Ｙ１方向側）へ漏れた光は、反射シート１１０によって反射されて、導光板７０の表面７３から有効に出射できるようにしている。また、導光板７０の表面側（Ｙ２方向側）には、Ｙ１方向側から順番に、レンズシート１２０と拡散シート１３０とが配置されている。
【００３１】
図４に示すように、導光板７０のＬＥＤ５０近傍の領域では、複数のＬＥＤ５０から出射された光が十分に重ね合わさらないので、ＬＥＤ５０に対向する光の入射量が多い領域Ａ１とＬＥＤ５０間の位置に対向する光の入射量が少ない領域Ａ２とにおける光量の差が大きくなる。このため、導光板７０のＬＥＤ５０近傍の領域では、ＬＥＤ５０の配列方向（Ｘ方向）に沿って、相対的に明るい領域（ＬＥＤ５０に対向する光の入射量が多い領域Ａ１）と、相対的に暗い領域（隣接するＬＥＤ５０間の位置に対向する光の入射量が少ない領域Ａ２）とが、規則的に現れる。第１実施形態では、図５に示すように、不規則的に異なる形状を有する複数の凸部７５と異なる幅を有する平坦部７７とが、Ｘ方向に沿って、導光板７０の光入射面７１に配置されるので、領域Ａ１の出射光量と、領域Ａ２の出射光量とが、それぞれ、Ｘ方向にばらつく。その結果、領域Ａ１と領域Ａ２との明暗の差が小さくなる。
【００３２】
液晶セル９０は、図２に示すように、モールドフレーム８０のＹ２方向に固定されている。また、液晶セル９０の表面側（Ｙ２方向側）には、反射防止シート１４０が配置されている。
【００３３】
第１実施形態では、上記のように、光入射面７１の延びるＸ方向におけるＬＥＤ５０の幅Ｗよりも小さい幅を有する複数の凸部７５を、導光板７０の光入射面７１に形成するとともに、導光板７０の複数の凸部７５を、角度だけが共通で大きさが不規則的に異なる形状に形成することによって、複数の凸部７５の各々に直接入射した光を不規則的に屈折させて導光板７０内に拡げることができる。これにより、導光板７０内に明暗の領域が生じるのを抑制することができ、導光板７０の出射光量が不均一になるのを抑制することができるので、表示品位が低下するのを抑制することができる。
【００３４】
第１実施形態では、上記のように、光入射面７１を、光入射面７１に入射した光を光入射面７１の光入射位置（凸部７５と平坦部７７と）によって異なる角度で屈折させるように形成することにより、光が入射した光入射面７１の位置によって、光を異なる角度で屈折させることができる。これにより、光を不規則的に導光板７０内に光を拡げることができ、導光板７０内に明暗の領域が生じるのを効果的に抑制して、表示品位が低下するのを抑制することができる。
【００３５】
第１実施形態では、上記のように、複数の凸部７５が設けられた光入射面７１を、不規則的に異なる突出高さおよび異なる幅を有するように形成することによって、凸部７５の大きさが不規則になるので、ＬＥＤ５０から光入射面７１に向けて出射された光を導光板７０の不規則な大きさの凸部７５の表面から入射させることができる。これにより、隣接するＬＥＤ５０間の位置に対向する導光板７０内の光が届きにくい領域Ａ２にも、光が届きやすくなるので、導光板７０内に明暗の領域が生じるのを効果的に抑制することができる。
【００３６】
第１実施形態では、上記のように、導光板７０の複数の凸部７５間に複数の平坦部７７を形成することによって、複数の平坦部７７に入射した光のうちの一部を、光入射面７１の反対側の面に向けて導光板７０内を直進させる際に、各々の平坦部７７から導光板７０内を直進する光の量を不規則化することができるので、より効果的に光を導光板７０内で不規則的に拡げることができる。これにより、導光板７０の出射光量が不均一になるのをさらに抑制することができる。
【００３７】
第１実施形態では、上記のように、複数の凸部７５を、それぞれ、光入射面の延びる方向におけるＬＥＤ５０の幅の１／５以下の幅を有するように形成することによって、より多くの不規則な形状の凸部７５により、容易に入射光を導光板７０内に不規則的に拡げることができる。これにより、導光板７０内に明暗の領域が生じるのを効果的に抑制することができる。
【００３８】
（第２実施形態）
以下、図１および図６を参照して、本発明の第２実施形態による液晶テレビジョン装置３００Ａの構成について説明する。なお、液晶テレビジョン装置３００Ａ（図１参照）は、本発明の「液晶表示装置」および「液晶テレビジョン装置」の一例である。
【００３９】
この第２実施形態では、複数の凸部７５を、それぞれ、頂部７６の角度θが共通で大きさが不規則に異なるように形成した第１実施形態と異なり、複数の先細り形状の凸部７５ａを、それぞれ、頂部７６ａの角度（θ１〜θ７）が不規則的に異なるように形成した例について説明する。
【００４０】
図６に示すように、第２実施形態による液晶テレビジョン装置３００Ａの導光板７０ａに形成された複数の凸部７５ａは、それぞれ、頂部７６ａ不規則的に異なった角度（θ１〜θ７）を有するように形成されている。複数の凸部７５ａの第１面１７５ａの長さと第２面２７５ａの長さとは、Ｙ２方向からＹ１方向に向けて見た場合に、不規則な長さ（異なる長さ）を有している。つまり、複数の凸部７５ａは、それぞれ、不規則的に異なった三角形形状に形成されている。
【００４１】
複数の凸部７５ａの第１面１７５ａと第２面２７５ａとは、それぞれ、Ｚ方向に対して傾きを有する。その結果、ＬＥＤ５０から複数の凸部７５ａに向けて出射された光は、それぞれ、凸部７５ａの入射位置によって異なった角度に屈折され、Ｚ１方向に対してそれぞれ異なった方向に導光板７０ａの内部を進んで行く。
【００４２】
この第２実施形態では、複数の凸部７５ａの頂部７６ａを、それぞれ、不規則的に異なる角度を有するように形成しているので、頂部７６ａの角度θを共通にした上記第１実施形態よりも、導光板７０ａ内の相対的に明るい領域Ａ１の出射光量と相対的に暗い領域Ａ２の出射光量とが、それぞれ、Ｘ方向により多くばらつく。その結果、領域Ａ１と領域Ａ２との明暗の差がより小さくなる。
【００４３】
なお、第２実施形態のその他の構成は、上記第１実施形態と同様である。
【００４４】
第２実施形態では、上記のように、複数の凸部７５ａを、それぞれ、頂部７６ａの角度を不規則的に異ならせた先細り形状に形成することによって、光が入射するそれぞれの凸部７５ａにおいて、光を異なる角度で屈折させることができるので、容易に、入射光を入射位置によって異なる角度で屈折させる構成を得ることができる。
【００４５】
なお、第２実施形態のその他の効果は、上記第１実施形態と同様である。
【００４６】
（第３実施形態）
以下、図１および図７を参照して、本発明の第３実施形態による液晶テレビジョン装置３００Ｂ（図１参照）の構成について説明する。なお、液晶テレビジョン装置３００Ｂは、本発明の「液晶表示装置」および「液晶テレビジョン装置」の一例である。
【００４７】
この第３実施形態では、複数の凸部７５を、それぞれ、頂点７６の角度θだけが共通で大きさが不規則に異なる三角形形状に形成した第１実施形態と異なり、複数の凸部７５ｂを、それぞれ、不規則的に異なる高さを有する円弧形状に形成した例について説明する。
【００４８】
図７に示すように、第３実施形態による液晶テレビジョン装置３００Ｂの複数の凸部７５ｂは、それぞれ、略円弧形状を有するように導光板７０ｂと一体的に形成されている。導光板７０ｂに形成された複数の凸部７５ｂは、それぞれ、ＬＥＤへ向かう方向に異なった突出高さを有する。つまり、複数の凸部７５ｂは、それぞれ、不規則的に大きさが異なる。また、複数の略円弧形状を有する凸部７５ｂは、それぞれ、円形状の一部からなる円弧形状、または楕円形状の一部からなる円弧形状を有する。
【００４９】
円弧形状を有する複数の凸部７５ｂは、Ｚ１方向（ＬＥＤ５０から光入射面７１ｂに向けて光の進行する方向）に対する角度が連続的に変化するように形成されている。その結果、凸部７５ｂに向けてＬＥＤ５０から出射された光は、凸部７５ｂに入射する位置によって異なった角度に屈折されるので、Ｚ１方向に対してそれぞれ異なった方向に導光板７０ｂの内部を進んで行く。
【００５０】
なお、第３実施形態のその他の構成は、上記第１実施形態と同様である。
【００５１】
第３実施形態では、上記のように、凸部７５ｂの突出高さを、不規則的に異ならせた円弧形状に形成することによって、頂部７６ｂの突出高さが不規則的に異なる円弧形状を有する凸部７５ｂのすべての領域において、光を異なる角度で不規則に屈折させることができるので、容易に入射光を入射位置によって異なる角度で屈折させることができるとともに、効果的に光を導光板内に不規則的に拡げることができる。
【００５２】
なお、第３実施形態のその他の効果は、上記第１実施形態と同様である。
【００５３】
（第４実施形態）
以下、図１および図８を参照して、本発明の第４実施形態による液晶テレビジョン装置３００Ｃ（図１参照）の構成について説明する。なお、液晶テレビジョン装置３００Ｃは、本発明の「液晶表示装置」および「液晶テレビジョン装置」の一例である。
【００５４】
この第４実施形態では、複数の凸部７５を、それぞれ、頂点７６の角度θだけが共通で大きさが不規則的に異なる三角形状に形成した第１実施形態とは異なり、複数の凸部７５ｃを、それぞれ、不規則に変化する曲線状の表面形状を有するように形成した液晶テレビジョン表示装置３００Ｃについて説明する。
【００５５】
図８に示すように、第４実施形態による液晶テレビジョン装置３００Ｃの複数の凸部７５ｃは、それぞれ、不規則的に変化する曲線状の表面形状（断面形状）を有するように導光板７０ｃに一体的に形成されている。
【００５６】
これによって、複数の凸部７５ｃは、Ｚ１方向に対する角度が連続的かつ不規則に変化するように形成されている。また、複数の凸部７５ｃは、それぞれ、ＬＥＤ５０へ向かう方向に不規則的に突出して異なった高さを有する。その結果、凸部７５ｂに向けてＬＥＤ５０から出射された光は、それぞれ、凸部７５ｃに入射する位置によって異なった角度に屈折される。凸部７５ｃによって屈折された光は、それぞれ、Ｚ１方向に対して異なった方向に導光板７０ｃの内部を進んで行く。
【００５７】
これによって、ＬＥＤ５０の近傍の導光板７０ｃの相対的に明るい領域Ａ１の出射光量と相対的に暗い領域Ａ２の出射光量とを、それぞれ、Ｘ方向に効果的にばらつかせることができる。その結果、領域Ａ１と領域Ａ２との明暗の差がより小さくなる。
【００５８】
なお、第４実施形態のその他の構成は、上記第１実施形態と同様である。
【００５９】
第４実施形態では、上記のように、複数の凸部７５ｃを、それぞれ、不規則的に変化する曲線状の表面形状を有するように形成することによって、導光板７０ｃの光入射面７１ｃの表面形状を不規則な曲線状に形成するだけで、容易に、入射光を入射位置によって異なる角度で屈折させる構成を得ることができる。
【００６０】
なお、第４実施形態のその他の効果は、上記第１実施形態と同様である。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
上記第１〜第４実施形態では、本発明を、液晶テレビジョン装置に適用した例を示したが、本発明はこれに限られない。本発明は、液晶テレビジョン装置以外の液晶表示装置に適用してもよい。
【００６３】
上記第１〜第４実施形態では、複数の凸部７５〜７５ｃの突出高さおよび幅の両方が、不規則的に異なるように形成されている例を示したが、本発明はこれに限られない。複数の凸部の突出高さだけが不規則的に異なるように形成されていてもよい。また、複数の凸部の幅だけが不規則的に異なるように形成されていてもよい。
【００６４】
上記第１および第２実施形態では、複数の凸部７５および７５ａが、三角形形状に形成されている例を示したが、本発明はこれに限られない。複数の凸部が、多角形形状に形成されていてもよい。
【００６５】
上記第３実施形態では、複数の凸部７５ｂが、円形状と楕円形状とからなる円弧形状を有している例を示したが、本発明はこれに限られない。複数の凸部が、円弧形状と多角形形状との組み合わせにより形成されていてもよい。また、複数の凸部は、円形状の一部からなる円弧形状のみで形成されていてもよい。また、複数の凸部は、楕円形状の一部からなる円弧形状のみで形成されていてもよい。
【００６６】
上記第４実施形態では、複数の凸部７５ｃが、曲線形状に形成されている例を示したが、本発明はこれに限られない。複数の凸部が、曲線形状と、円弧形状および多角形形状の一方または両方との組み合わせにより形成されていてもよい。
【００６７】
上記第１〜第３実施形態では、平坦部７７〜７７ｂが、複数の凸部７６〜７６ｂの間に設けられる例を示したが、本発明はこれに限られない。複数の凸部の間には、平坦部を設けなくてもよい。
【００６８】
上記第１〜第４実施形態では、複数の凸部７７〜７７ｃが、それぞれ、ＬＥＤの幅Ｗの１／５以下の幅を有する例を示したが、本発明はこれに限られない。複数の凸部が、それぞれ、ＬＥＤの幅の１／５より大きい幅を有してもよい。
【００６９】
上記第１〜第４実施形態では、複数の凸部７７〜７７ｃが、導光板７０〜７０ｃの光入射面７１〜７１ｃに形成された例を示したが、本発明はこれに限られない。複数の凸部が、導光板の光入射面に加えて、導光板の光入射面以外の端面にも形成されていてもよい。
【符号の説明】
【００７０】
１０  フロントキャビネット
２０  リアキャビネット
４０  チューナ（受信部）
５０  ＬＥＤ（点光源）
７０  導光板
７１、７１ａ、７１ｂ、７１ｃ  光入射面
７５、７５ａ、７５ｂ、７５ｃ  凸部
７６、７６ａ、７６ｂ、７６ｃ  頂部
７７、７７ａ、７７ｂ、７７ｃ  平坦部
９０  液晶セル
３００、３００Ａ、３００Ｂ、３００Ｃ  液晶テレビジョン装置（液晶表示装置）
【図１】
2012237791.tif 000003
【図２】
2012237791.tif 000004
【図３】
2012237791.tif 000005
【図４】
2012237791.tif 000006
【図５】
2012237791.tif 000007
【図６】
2012237791.tif 000008
【図７】
2012237791.tif 000009
【図８】
2012237791.tif 000010